(57)【要約】【課題】回転子コイルの冷却性能を改善し、回転子コイルの小型化を図ること。【解決手段】回転軸１に設けられた継鉄２の外周に、周方向に所定の間隔をおいて複数個の突極形磁極鉄心３が取り付けられ、これら突極形磁極鉄心３にはそれぞれ回転子コイル４が巻装されている。隣り合う突極形磁極鉄心３の回転子コイル４間には、コイルブラケット５が設けられ、このコイルブラケット５を介して取付金具６およびナット７により回転子コイル４を押さえて固定している。取付金具６は、平板６ａの一端部に板厚方向に突出する係合部６ｂが形成され、また反係合部側の端部にネジ棒６ｃが取り付けられている。この取付金具６は、係合部６ｂを継鉄２の係合溝２ａに嵌合させて径方向の移動が制限され、そして平板方向が軸方向に沿うように配設されて有効な通風路８面積が大きくなっている。【選択図】図１
2009136063.tif 000002
【特許請求の範囲】
【請求項１】
回転軸に設けられた継鉄と、
この継鉄の外周に、周方向に所定の間隔をおいて取り付けられた複数個の突極形磁極鉄心と、
これら突極形磁極鉄心にそれぞれ巻装された回転子コイルと、
隣り合う突極形磁極鉄心の回転子コイル間に設けられ、隣り合う回転子コイルを押えて固定するコイルブラケットと、
このコイルブラケットを貫通して前記継鉄に取り付けられることにより前記コイルブラケットを介して前記回転子コイルを押さえて固定する取付金具と、
を備え、前記取付金具は、平板の一端部に板厚方向に突出する係合部を形成するとともに反係合部側の端部にネジ棒を取り付けて構成され、前記取付金具の係合部を前記継鉄に形成された係合溝に嵌合させて径方向の移動を制限しかつ平板方向が軸方向に沿うように配設し、前記コイルブラケットの外側に位置する前記ネジ棒にナットを螺合して前記コイルブラケットを固定するように設けられていることを特徴とする突極形回転電機の回転子。
【請求項２】
前記取付金具の平板における軸方向に沿う側の端部に、前記平板の延びる方向に対して屈曲する羽根部が形成されていることを特徴とする請求項１に記載の突極形回転電機の回転子。
【発明の詳細な説明】
【技術分野】
【０００１】
本発明は、突極形回転電機の回転子に関するものである。
【背景技術】
【０００２】
突極形回転電機の回転子は、回転軸に設けられた継鉄の外周に、周方向に所定の間隔をおいて複数個の突極形磁極鉄心が取り付けられ、これら突極形磁極鉄心にそれぞれ回転子コイルが巻装されて構成されている。隣り合う突極形磁極鉄心の回転子コイル間には、隣り合う回転子コイルを押えて固定するコイルブラケットが軸方向に沿って所定の間隔をおいて複数個設けられており、これらコイルブラケットは、それぞれコイルブラケットを貫通して継鉄に螺合するボルトにより押さえ付けられて固定されている。
【０００３】
そして突極形磁極鉄心、回転子コイル、コイルブラケットおよび継鉄に囲まれた空間が通風路を構成し、この通風路により軸方向に沿って冷却空気を供給し、回転子コイルを冷却する構造になっている。（特許文献１，２参照）
【特許文献１】特開平１１−６９６８１号公報
【特許文献２】特開２００７−１８９８４９号公報
【発明の開示】
【発明が解決しようとする課題】
【０００４】
ところで上記従来の構造では、通風路内において、コイルブラケットを貫通して継鉄に取り付けられるボルトが通風路面積を小さくして通風量を減少させており、これが回転子コイルの冷却性能を悪くする要因の一つとなっていて回転子コイルの大型化につながっていた。
【０００５】
本発明は、上述のような従来技術の問題を解決するためになされたものであり、その目的とするところは、回転子コイルの冷却性能を改善し、回転子コイルの小型化を図ることのできる突極形回転電機の回転子を提供することにある。
【課題を解決するための手段】
【０００６】
上記目的を達成するために本発明による突極形回転電機の回転子は、回転軸に設けられた継鉄と、この継鉄の外周に、周方向に所定の間隔をおいて取り付けられた複数個の突極形磁極鉄心と、これら突極形磁極鉄心にそれぞれ巻装された回転子コイルと、隣り合う突極形磁極鉄心の回転子コイル間に設けられ、隣り合う回転子コイルを押えて固定するコイルブラケットと、このコイルブラケットを貫通して継鉄に取り付けられることによりコイルブラケットを介して回転子コイルを押さえて固定する取付金具と、を備え、取付金具は、平板の一端部に板厚方向に突出する係合部を形成するとともに反係合部側の端部にネジ棒を取り付けて構成され、取付金具の係合部を継鉄に形成された係合溝に嵌合させて径方向の移動を制限しかつ平板方向が軸方向に沿うように配設し、コイルブラケットの外側に位置するネジ棒にナットを螺合してコイルブラケットを固定するように設けられていることを特徴とする。
【発明の効果】
【０００７】
本発明によれば、通風路内に位置する取付金具が平板で構成されており、しかもその平板方向が軸方向に沿うように配設されているので、通風路内における取付金具の占める面積が小さくなって有効な通風路面積が大きくなる。これにより通風路内の通風量が増大し、回転子コイルに対する冷却性能が改善して回転子コイルの小型化を図ることができる。
【発明を実施するための最良の形態】
【０００８】
以下、本発明による突極形回転電機の回転子の実施の形態について図面を参照して説明する。図１は、本発明の第１実施の形態による突極形回転電機の回転子の主要部を示す断面図である。図２（ａ）および（ｂ）は、図１で使用されている取付金具を示し、（ａ）は正面図、（ｂ）は（ａ）の左側面図である。
【０００９】
図１および図２において、回転軸１に設けられた継鉄２の外周には、周方向に所定の間隔をおいて複数個の突極形磁極鉄心３が取り付けられており、これら突極形磁極鉄心３にはそれぞれ回転子コイル４が巻装されている。
【００１０】
隣り合う突極形磁極鉄心３の回転子コイル４間には、隣り合う回転子コイル４を押えて固定するコイルブラケット５が軸方向に沿って複数個設けられており、このコイルブラケット５は、取付金具６およびナット７により回転子コイル４に押さえ付けるようにして固定されている。
【００１１】
取付金具６は、図２に示すように、平板６ａの一端部（図示では下端部）に、板厚方向に突出する係合部６ｂが形成されていて断面逆Ｔ状となるように構成されており、また反係合部側の端部（図示では上端部）には、２個のネジ棒６ｃ，６ｄが平板方向に所定の間隔をおいて溶接等で取り付けられており、このネジ棒６ｃ，６ｄが個別にコイルブラケット５を貫通するように構成されている。
【００１２】
このネジ棒は、実施の形態では２個の場合を例示したが、１個でもよく、また３個以上設けることもできる。また取付金具は、１個の場合に限らず、複数個で構成することができる。
【００１３】
継鉄２の突極形磁極鉄心３間に位置する外周部には、軸方向に延びる逆Ｔ字状の溝２ａが形成されており、取付金具６は、この係合溝２ａに係合部６ａを嵌合させて径方向の移動が制限されるように設けられ、また平板方向が軸方向に沿うように配設されている。さらに取付金具６は、コイルブラケット５の外側に位置するネジ棒６ｃ，６ｄにそれぞれナット７が螺合され、このナット７を締め付けることによりコイルブラケット５を介して回転子コイル４を押さえ付けて固定するようになっている。
【００１４】
そして突極形磁極鉄心３、回転子コイル４、コイルブラケット５および継鉄２に囲まれた空間が通風路８を構成し、この通風路８を通して軸方向に沿って冷却空気を供給することにより回転子コイル４が冷却されるようになっている。
【００１５】
ここで、通風路８内に位置する取付金具６は、平板６ａで構成されており、板厚が薄く、しかもその平板方向が軸方向に沿うように配設されている。したがって通風路８内における取付金具６の占める面積が小さくなり、ボルトを用いた場合よりも有効な通風路８面積が大きくなる。これにより通風路８内の通風量が増大し、回転子コイル４に対する冷却性能が改善して回転子コイル４の小型化を図ることができる。
【００１６】
図３（ａ）および（ｂ）は、本発明の第２実施の形態による突極形回転電機の回転子で使用される取付金具を示し、（ａ）は正面図、（ｂ）は（ａ）の上面図である。
【００１７】
本実施の形態が第１実施の形態と異なる点は、取付金具６の平板６ａにおける軸方向に沿う側の端部に、平板方向（軸方向）に対して交差する方向に屈曲する羽根部６ｅを、折り曲げまたは別部品の溶接等により形成したところにある。
【００１８】
本実施の形態によれば、回転子が回転軸１を中心として回転した際に、羽根部６ｅによるファン効果が生じ、通風路８内に強制的に冷却空気が送り込まれることになって回転子コイル４に対する冷却性能をさらに改善することができる。
【００１９】
なお、上記実施の形態では、羽根部６ｅを片側にのみ設けた場合を図示したが、端部の断面がＹ字状となるように、両側に屈曲するように設ければ、回転子の回転方向に関係なく、通風路８内に強制的に冷却空気を送り込むことができる。
【図面の簡単な説明】
【００２０】
【図１】本発明の第１実施の形態による突極形回転電機の回転子の主要部を示す断面図である。
【図２】（ａ）および（ｂ）は、図１で使用されている取付金具を示し、（ａ）は正面図、（ｂ）は（ａ）の左側面図である。
【図３】（ａ）および（ｂ）は、本発明の第２実施の形態による突極形回転電機の回転子で使用される取付金具を示し、（ａ）は正面図、（ｂ）は（ａ）の上面図である。
【符号の説明】
【００２１】
１…回転軸
２…継鉄
２ａ…係合溝
３…突極形磁極鉄心
４…回転子コイル
５…コイルブラケット
６…取付金具
６ａ…平板
６ｂ…係合部
６ｃ，６ｄ…ネジ棒
６ｅ…羽根部
７…ナット
８…通風路
【図１】
2009136063.tif 000003
【図２】
2009136063.tif 000004
【図３】
2009136063.tif 000005